(57)【特許請求の範囲】
【請求項１】
移動通信網（１）の稼働方法であって、
有効データを前記移動通信網（１）の第１ネットワークエンティティ（１０）、例えば、移動局から、前記移動通信網（１）の第２ネットワークエンティティ（５０）、例えば、上位ネットワークユニットに伝送し、前記有効データを、当該有効データの伝送前に、前記第１ネットワークエンティティ（１０）の第１コンバーゼンスプロトコル層プロトコルユニット（１３０）内で、少なくとも１つのパケットデータユニットにまとめ、該少なくとも１つのパケットデータユニットを、前記第１ネットワークエンティティ（１０）の第１通信コネクション制御層プロトコルユニット（１２０）から、前記第２ネットワークエンティティ（５０）の第２通信コネクション制御層プロトコルユニット（１２５）に伝送する方法において、
少なくとも１つのパケットデータユニットの伝送エラー時に、該エラーを確認した第２通信コネクション制御層プロトコルユニット（１２５）による確認情報の受信後、第１通信コネクション制御層プロトコルユニット（１２０）から、エラー通報を第１コンバーゼンスプロトコル層プロトコルユニット（１３０）に伝送する
ことを特徴とする方法。
【請求項２】
第１通信コネクション制御層プロトコルユニット（１２０）から第２通信コネクション制御層プロトコルユニット（１２５）に送信された破棄情報への応答として、確認情報を前記第１通信コネクション制御層プロトコルユニット（１２０）で受信し、
該受信時に、前記第１通信コネクション制御層プロトコルユニット（１２０）が、前記第２通信コネクション制御層プロトコルユニット（１２５）に前記破棄情報を用いて、前記確認情報によって伝送エラーが確認された場合に、どのパケットデータユニットが少なくとも１つ消失されたかを通知する
請求項１記載の方法。
【請求項３】
第１コンバーゼンスプロトコル層プロトコルユニット（１３０）から第２のネットワークエンティティ（５０）に伝送すべき複数のパケットデータユニットを、該パケットデータユニットの送信順序で連続して番号付けし、前記第１コンバーゼンスプロトコル層プロトコルユニット（１３０）のメモリ内に記憶し、該記憶の際に、前記第１コンバーゼンスプロトコル層プロトコルユニット（１３０）内で、ちょうど送信されているパケットデータユニットの番号付けに相応してカウンタをセットする
請求項１又は２記載の方法。
【請求項４】
第１通信コネクション制御層プロトコルユニット（１２０）に確認情報によって、複数パケットデータユニットの伝送エラーと、該複数パケットデータユニットの番号とを第２通信コネクション制御層プロトコルユニット（１２５）から通知し、
第１コンバーゼンスプロトコル層プロトコルユニット（１３０）に、前記第１通信コネクション制御層プロトコルユニット（１２０）から前記番号を伝送し、
該伝送の結果、前記番号に対応するパケットデータユニットを、前記第１コンバーゼンスプロトコル層プロトコルユニット（１３０）のメモリから消去し、成功裡に伝送されなかったパケットデータユニットの個数だけカウンタをデクリメントし、新規に伝送すべきパケットデータユニットを、前述のようにしてデクリメントされたカウンタ状態に依存して番号付けする請求項３記載の方法。
【請求項５】
第１通信コネクション制御層プロトコルユニット（１２０）に確認情報によって、ちょうど１つのパケットデータユニットの伝送エラーを第２通信コネクション制御層プロトコルユニット（１２５）から通知し、
第１コンバーゼンスプロトコル層プロトコルユニット（１３０）に、前記第１通信コネクション制御層プロトコルユニット（１２０）から、前記通知に基づいて、前記第１通信コネクション制御層プロトコルユニット（１２０）により、消去するために設けられたパケットデータユニットの番号を伝送し、
該伝送の結果、前記番号に対応したパケットデータユニットを、前記第１コンバーゼンスプロトコル層プロトコルユニット（１３０）のメモリから消去し、カウンタを１だけデクリメントし、新規に伝送すべきパケットデータユニットを、前述のようにしてデクリメントされたカウンタ状態に依存して番号付けする請求項３記載の方法。
【請求項６】
第１コンバーゼンスプロトコル層プロトコルユニット（１３０）のメモリ内に記憶された、伝送エラーについての通知の受信前に送信される少なくとも１つのパケットデータユニットに、当該パケットデータユニットの通知の受信後、デクリメントされたカウンタ状態に依存して、新規番号を割当てる請求項４又は５記載の方法。
【発明の詳細な説明】
【０００１】
本発明は、移動通信網の稼働方法であって、有効データを前記移動通信網の第１ネットワークエンティティ、例えば、移動局から、移動通信網の第２ネットワークエンティティ、例えば、上位ネットワークユニットに伝送し、有効データを、当該有効データの伝送前に、第１ネットワークエンティティの第１コンバーゼンスプロトコル層プロトコルユニット内で、少なくとも１つのパケットデータユニットにまとめ、該少なくとも１つのパケットデータユニットを、第１ネットワークエンティティの第１通信コネクション制御層プロトコルユニットから、第２ネットワークエンティティの第２通信コネクション制御層プロトコルユニットに伝送する方法に関する。
【０００２】
刊行物"TS 25.323 Packet Data Convergence Protocol Specification"から、移動局とネットワークユニット間で有効データを伝送する方法が公知であり、その方法では、有効データを、UMTS(Universal Mobile Telecommunication System)規格によるとPDCP(Packet Data Convergence Protocol)層と呼ばれるコンバーゼンスプロトコル層に伝送する前に、当該有効データを各パケットデータユニットにまとめ、移動局内の第１PDCPプロトコルユニットと、ネットワークユニット内の第２PDCPプロトコルユニットとにより、第１の論理コネクションが構築されている。
【０００３】
パケットデータユニットの伝送のために、その都度送信されたパケットデータユニットが、移動局でもネットワークユニットでも相応のPDCPプロトコルユニットによって、所謂PDCP送信シーケンス番号を用いて番号付けされ、且つ、記憶され、その都度受信されたパケットデータユニットが、所謂PDCP受信シーケンス番号を用いてカウントされるのである。
【０００４】
コンバーゼンスプロトコル層の下位に、UMTS規格によるとRLC(ラジオリンクコントロール：Radio Link Control)層と呼ばれ、場合によっては、移動局内とネットワークユニット内に設けられる通信コネクション制御層があり、移動局内の第１RLCプロトコルユニットと、ネットワークユニット内のRLCプロトコルユニットとにより、第２の論理コネクションが構築される。
【０００５】
例えば、移動局からネットワークユニットにパケットデータユニットが伝送され、この伝送時に、パケットデータユニットは、先ず第１PDCPプロトコルユニットから、その下位の第１RLCプロトコルユニットに送出される。第１RLCプロトコルユニットでは、刊行物"TS 25.322 Radio Link Control Specification"に記載の方法により、上位レイヤにより受信されたパケットデータユニットが第１RLCプロトコルユニットに固有のRLC送信シーケンス番号で番号付けされて記憶される。RLC送信シーケンス番号が、パケットデータユニットに付け加えられ、それに続いて、パケットデータユニットが、第２論理コネクションを介して第２RLCプロトコルユニットに伝送され、この伝送の際、パケットデータユニットが、第１RLCプロトコルユニットから、その下位の、本発明にとっては重要でないレイヤに伝送され、最後に、エアインターフェースを介して伝送されて、受信側で、このレイヤによって再度第２RLCプロトコル層に伝送される。
【０００６】
第１RLCプロトコルユニットから第２プロトコルユニットに伝送される際に、パケットデータユニットが破損された場合に、第２RLCプロトコルユニットは、第１RLCプロトコルユニットに、エラーのある伝送について、RLCステータス情報を、パケットデータユニットに属するRLC送信シーケンス番号で送信することによって、エラーのある伝送であることを示し、それにより、第１RLCプロトコルユニットが、RLCステータス情報の受信後、相応のパケットデータユニットの伝送を繰り返す。
【０００７】
パケットデータユニットがエラーなく第２RLCプロトコルユニットにより受信された場合、第２RLCプロトコルユニットは、このパケットデータユニットを、その上位のPDCPプロトコルユニットを介して転送し、RLCステータス情報が第１RLCプロトコルユニットに返送され、第１RLCプロトコルユニットで、パケットデータユニットに属するRLC送信シーケンス番号が、エラーなしの伝送であることを示し、それにより、第１RLCプロトコルユニットは、パケットデータユニットをそのメモリから消去し、その上位の第１PDCPプロトコルユニットにより、パケットデータユニットがエラーなく伝送されたことが通知され、それにより、この第１PDCPプロトコルユニットが、パケットデータユニットを場合によっては、そのメモリから消去する。
【０００８】
第２のRLCユニットからエラーなく、又は、エラーのある状態で受信された各パケットデータユニット用にRLCステータス情報を正確に送信することが、ここに例として記載されている。刊行物"TS 25.322 Radio Link Control Specification"に、更に種々の、RLCプロトコルユニットによって受信される情報の送信及び確認応答(Quittieren)方法が記載されている。
【０００９】
第１RLCプロトコルユニットと第２RLCプロトコルユニットとの間の論理コネクションの構築又は再構築の間、両RLCプロトコルユニット用のパラメータが決められ、このパラメータにより、RLCプロトコルユニット間でパケットデータユニットがエラーなく伝送される時間が形成されるか、又は、パケットデータユニット用の第１RLCプロトコルユニットによって最大回数再伝送される。
【００１０】
所定の時間が形成されると、第１RLCプロトコルユニットによってパケットデータユニットを最初に伝送する際、時間測定が開始され、このパケットデータユニットがエラーなく伝送されたことを確認するRLCステータス情報が受信された場合に初めて終了する。時間測定が、決められた時間を超過した場合、パケットデータユニットを伝送する後続の再伝送は開始されず、パケットデータユニットは、第１RLCプロトコルユニットのメモリから消去される。
【００１１】
第２論理コネクションの構築又は再構築時に、最大回数の再伝送が行われると、第１RLCプロトコルユニットによるパケットデータユニットの最初の伝送時に、カウンタが初期値零からスタートし、後続の各再伝送毎に１だけ上昇する。カウンタが最大回数の再伝送に等しい場合、パケットデータユニットを伝送する後続の再伝送はスタートされず、メモリから第１RLCプロトコルユニットが消去される。
【００１２】
第２RLCプロトコルユニットにより、後続の再伝送は行われず、且つ、第２RLCプロトコルユニットが相応のパケットデータユニットを最早予期しないことが伝えられるために、第１RLCプロトコルユニットは、送信されたパケットデータユニットの順序で直ぐ次のパケットデータユニット（場合によっては、一時的に、送信された後続のパケットデータユニット）を示すRLC送信シーケンス番号を含むRLC廃棄情報を第２RLCプロトコルユニットに送信し、第１RLCプロトコルユニットは、この時点迄、第２RLCプロトコルユニットからエラーなく伝送されたことを確認するためのRLCステータス情報を受け取らない。
【００１３】
第２RLCプロトコルが、RLC廃棄情報を受信する際、正しい順番で直ぐ次の、RLC廃棄情報の番号よりも小さなRLC送信シーケンス番号のパケットデータユニットを予期する場合、第２RLCプロトコルユニットは、当該第２RLCプロトコルユニットによって直ぐ次として予期されるRLC送信シーケンス番号の値をRLC廃棄情報内の受信RLC送信シーケンス番号に適合し、RLC廃棄情報内に示された番号よりも小さなRLC送信シーケンス番号のパケットデータユニット全てが最早予期されない。続いて、正しい順番で直ぐ次のものとして予期されるパケットデータユニットのRLC送信シーケンス番号が、確認情報、RLC廃棄確認(Discard-Confirm)の際、第１RLCプロトコルユニットに返送される。
【００１４】
パケットデータユニットが、第１RLCプロトコルユニットの推測に反して、エラーなく第２RLCプロトコルユニットによって受信されると（これは、例えば、パケットデータユニットのエラーなしの受信を確認するRLCステータス情報が消失した場合に該当する）、RLC廃棄情報の受信時に、第２RLCプロトコルユニットが正しい順番で直ぐ次の、RLC廃棄情報内に示された番号に等しいRLC送信シーケンス番号又はRLC廃棄情報内に示された番号よりも高いRLC送信シーケンス番号のパケットデータユニットを予期する。その際、第２RLCプロトコルユニットに適合する必要はなく、続いて、RLCステータス情報が第１RLCプロトコルユニットに返送され、第１RLCプロトコルユニットで、エラーなく伝送されるパケットデータユニットに属するRLC送信シーケンス番号がエラーなく伝送されたとして示される。
【００１５】
発明の利点
独立請求項の要件を有する本発明の移動通信網の稼働方法の利点は、第１通信コネクション制御層プロトコルユニットにより、少なくとも１つのパケットデータユニットの伝送エラー時に、該エラーを確認した第２通信コネクション制御層プロトコルユニットによる確認情報の受信後、エラー通報を第１コンバーゼンスプロトコル層プロトコルユニットに伝送する点にある。このようにして、第１コンバーゼンスプロトコル層プロトコルユニットは、その下位の第１通信コネクション制御層プロトコルユニットから、パケットデータユニットが第１通信コネクション制御層プロトコルユニットから、例えば、第１通信コネクション制御層プロトコルユニットと第２通信コネクション制御層プロトコルユニットとの間の論理コネクションの再構築時に決められた時間内、又は、少なくとも１つのパケットデータユニット用の最大回数の再伝送後、第２通信コネクション制御層プロトコルユニットに成功裡に伝送できなかった場合に通知される。従って、第１コンバーゼンスプロトコル層プロトコルユニットで、カウンタは、送信されたパケットデータユニットの数を、成功裡に送信されたパケットデータユニットの数に適合させることができる。更に、成功裡に伝送されなかったパケットデータユニットは、第１コンバーゼンスプロトコル層プロトコルユニットのメモリからも、この通知に基づいて消去し、このパケットデータユニットは、特に繰り返し成功せずに伝送された場合にも最早伝送する必要はなく、その結果、第１コンバーゼンスプロトコル層プロトコルユニット内のメモリロケーションを不必要に要求することはなくなる。
【００１６】
特に有利には、この通知は、第１通信コネクション制御層プロトコルユニットによって確認情報が受信されて初めて行われ、そうすることによって、第１通信コネクション制御層プロトコルユニットは、確認情報を用いて、少なくとも１つのパケットデータユニットが実際にエラーなしに第２通信コネクション制御層プロトコルユニットから受信されたかどうか、従って、カウンタのカウンタ状態が第１コンバーゼンスプロトコル層プロトコルユニット内で実際にも適合される必要があるかどうか判定することができる。
【００１７】
独立請求項記載の本発明の方法の有利な実施例は、従属請求項記載の手段から得られる。
【００１８】
特に有利には、第１通信コネクション制御層プロトコルユニットの確認情報によって、複数パケットデータユニットの伝送エラーと、該複数パケットデータユニットの番号とを通知し、第１コンバーゼンスプロトコル層プロトコルユニットに、第１通信コネクション制御層プロトコルユニットから番号を伝送し、該伝送の結果、番号に対応するパケットデータユニットを、第１コンバーゼンスプロトコル層プロトコルユニットのメモリから消去し、成功裡に伝送されなかったパケットデータユニットの個数だけカウンタをデクリメントし、新規に伝送すべきパケットデータユニットを、前述のようにしてデクリメントされたカウンタ状態に依存して番号付けするとよい。このようにして、第１通信コネクション制御層プロトコルユニットは、第１コンバーゼンスプロトコル層プロトコルユニットに、どのパケットデータユニットが実際に伝送することができなかったかについて通知し、そうすることによって、第１コンバーゼンスプロトコル層プロトコルユニットが、カウンタ状態に正確に適合させ、並びに、成功裡に伝送されたパケットデータユニットをメモリから正確に消去することができる。
【００１９】
成功裡に伝送されたパケットデータユニットの番号を、確認情報と共に伝送することによって、更に、成功裡に伝送された各パケットデータユニットに対して、固有の確認情報を伝送する必要はなく、その結果、伝送資源乃至伝送帯域幅を節約することができるという利点が得られる。
【００２０】
しかし、有利にはまた、第１通信コネクション制御層プロトコルユニットの確認情報によって、ちょうど１つのパケットデータユニットの伝送エラーを通知し、第１コンバーゼンスプロトコル層プロトコルユニットに、第１通信コネクション制御層プロトコルユニットから、通知に基づいて、第１通信コネクション制御層プロトコルユニットから消去のために設けられたパケットデータユニットの番号を伝送し、該伝送の結果、番号に対応したパケットデータユニットを、第１コンバーゼンスプロトコル層プロトコルユニットのメモリから消去し、カウンタを１だけデクリメントし、新規に伝送すべきパケットデータユニットを、前述のようにしてデクリメントされたカウンタ状態に依存して番号付けするとよい。
【００２１】
このようにして、エアインターフェースについて付加的な情報は伝送されない。つまり、第１通信コネクション制御層プロトコルユニットは、確認情報自体を受信してしか、即ち、その内容又は内容と共に伝送された、成功裡に伝送されたパケットデータユニットの番号を評価せずに、パケットデータユニットが実際にエラーなしに第２通信コネクション制御層プロトコルユニットによって受信されたかどうか判定することができる。成功裡に送信されたパケットデータユニットの番号は、最早、第１通信コネクション制御層プロトコルユニットに対して確認情報を伝送する必要は全くなく、その結果、場合によっては、確認情報の伝送時の帯域幅を節約することができる。
【００２２】
別の利点は、第１コンバーゼンスプロトコル層プロトコルユニットのメモリ内に記憶された、伝送エラーについての通知の受信前に送信される少なくとも１つのパケットデータユニットに、当該パケットデータユニットの通知の受信後、デクリメントされたカウンタ状態に依存して、新規番号を割当る点にある。このようにして、第１コンバーゼンスプロトコル層プロトコルユニット内に未だ記憶することができるパケットデータユニット全体を、場合によっては、繰り返すべき伝送のために、その番号付けの点で適合されるようにできる。
【００２３】
図面
以下、本発明について図示の実施例を用いて詳細に説明する。その際、図１は、移動通信網のブロック図、図２は、異なった２つのネットワークエンティティ間でのパケットデータユニットの伝送のブロック接続図、図３は、本発明の方法の流れ図である。
【００２４】
実施例の説明
図１には、１０で、移動局として構成された、移動通信網１内の第１ネットワークエンティティが示されており、その際、移動局１０は、例えば、移動通信端末装置として構成されている。移動局１０は、エアインターフェース９０を介して移動通信網１の第１基地局２０と接続されている。第１の基地局２０は、第１の固定ネットワークコネクション８０を介して、第２ネットワークエンティティをなす第１上位ネットワークユニット５０と接続されている。第２基地局２５は、第２固定ネットワークコネクション８１を介して同様に第１上位ネットワークユニット５０と接続されている。第３基地局３０は、第３固定ネットワークコネクション８２を介して第２上位ネットワークユニット５５と接続されている。第４基地局３５は、第４固定ネットワークコネクション８３を介して第２上位ネットワークユニット５５と接続されている。第１上位ネットワークユニット５０は、第５固定ネットワークコネクション８４を介して最上位ネットワークユニット６０と接続され第２の上位ネットワークユニット５５は、第６固定ネットワークコネクション８５を介して最上位ネットワークユニット６０と接続されている。
【００２５】
両上位ネットワークユニット５０，５５は、UMTS規格により所謂ラジオネットワークサブシステム"Radio Network Subsystems"(RNS)を構成している。最上位ネットワークユニット６０は、UMTS規格により所謂ジェネラルパケットラジオシステムサポートノードGSN(General Packet Radio System Support Node)を構成している。
【００２６】
セルラー移動通信網１には、移動局１０と、構築されたコネクションに関与する移動通信網１のそれ以外のユニットとの間でのデータ伝送のために、論理コネクションが構築されている。その際、移動局１０と、移動通信網１の関与する種々のユニットとの間に種々の論理コネクションが同時に構築されている。この論理コネクションは、各階層が各々１つのプロトコルに相応する階層モデルに基づいており、このプロトコルは、移動局１０内にも移動通信網１の相応のユニット内にも設けられており、相応の論理コネクションを構築している。
【００２７】
図２によると、例えば、移動局１０と第１上位ネットワークユニット５０との間、並びに、移動局１０と第１基地局２０との間の論理コネクションを構築する。この階層モデル内での最下位の階層は、移動通信装置１０内の第１物理層１１０、及び、第１基地局２０内の第２物理層１１５によって形成されており、移動局１０と、移動通信網１の第１基地局２０との間の、エアインターフェースに相応する物理コネクションを構築する。その上位に、データ安全層があり、これは、UMTS規格によるとデータリンクレイヤ"Data Link Layer"とも呼ばれ、複数の下位レイヤに分割され、移動局１０と、UMTS規格によりラジオネットワークコントローラRNS(Radio Network Controller)と呼ばれる第１上位ネットワークユニット５０との間の種々の論理コネクションを構築する。そのような下位レイヤは、UMTS規格によると、通信コネクション制御層（ラジオリンクコントロールRLC(Radio Link Control)層とも呼ばれる)であり、移動局１０内にRLCプロトコルユニットとして構成された第１無線コネクション制御層プロトコルユニット１２０内、及び、上位ネットワークユニット５０内のRLCプロトコルユニットとして構成された第２通信コネクション制御層プロトコルユニット125内に、第２論理コネクション１０１が構築される。RLC層の上位の他の下位レイヤは、パケットデータコンバーゼンスプロトコル層であり、このパケットデータコンバーゼンスプロトコル層は、UMTS規格によりPDCP(Paket Data Convergence Protocol)層とも呼ばれ、移動局１０内のPDCPプロトコルユニットとして構成された第１コンバーゼンスプロトコル層プロトコルユニット１３０、及び、第１上位ネットワークユニット５０内のPDCPプロトコルユニットとして構成された第２コンバーゼンスプロトコル層プロトコルユニット１３５内に、第１論理コネクション１０２が構築されている。上位階層、例えば、ネットワーク及びトランスポート層では、別のプロトコル、例えば、通信資源制御プロトコルRRC(Radio Resource Control)、インターネットプロトコルIP(Internet Protocol)、伝送制御プロトコルTCP(Transit Control Protocol)等が別の論理コネクションを構築している。図２によると、階層モデルで、隣り合った各層が相互に接続されており、その際、上位層は、隣り合った相応の下位層のサービスを要求する。第２物理層１１５は、図１に示されたように、第１固定ネットワークコネクション８０を介して上位ネットワークユニット５０に接続され、この上位ネットワーク５０で、第２RLCプロトコルユニット１２５と接続されている。
【００２８】
刊行物"Technical Specification 25.301, UMTS Radio Interface Protocol Architecture"に、パケットデータコンバーゼンスプロトコル層も所属する所謂相応のレイヤ２及び３のUMTSプロトコルアーキテクチュアが既知である。殊に、パケットデータコンバーゼンスプロトコル層及び当該パケットデータコンバーゼンスプロトコル層の、このアーキテクチュア内での位置が既知である。PDCPプロトコルユニット１３０，１３５は、刊行物"Technical Specification 25.323, Packet Data Convergence Protocol"から既知である（これまで説明してきた限りで）。
【００２９】
PDCPプロトコルユニット１３０，１３５の課題は、パケットデータコントロール情報の圧縮であり、このパケットデータコントロール情報は、パケットデータコンバーゼンスプロトコル層の上位の伝送及びネットワーク層のプロトコルにより、同様にパケットデータコンバーゼンスプロトコル層内で、パケットデータコントロール情報の伝送の前にデータユニット又はパケットデータユニットにまとめられた、同様にパケットデータコンバーゼンスプロトコル層の上位で作動するアプリケーションの有効データに付け加えられ、エアインターフェース９０を介して伝送される前に、効率的に伝送するために圧縮されなければならない。
【００３０】
パケットデータコントロール情報の圧縮に関連する理由から、及び、移動局１０と第１基地局２０とのコネクションと、移動局１０と、他の上位ネットワークユニット、例えば、第１上位ネットワークユニット５０と接続されている基地局、例えば、第３基地局３０とのコネクションとの可能な切換に関連する理由から、その都度送信されたパケットデータユニットは、移動局１０でも第１上位ネットワークユニット５０でも、第１論理コネクション１０２を介して接続されたPDCPプロトコルユニット１３０，１３５によってPDCP送信シーケンス番号でシリアル番号が付けられて記憶される。その都度受信されたパケットデータユニットは、同じ理由から、移動局１０でも第１上位ネットワークユニット５０でも、相互に論理コネクションが構築されたPDCPプロトコルユニット１３０，１３５によって、PDCP受信シーケンス番号でカウントされる。移動局１０も第１上位ネットワークユニット５０もパケットデータユニットを送受信することができるので、各PDCPプロトコルユニット１３０，１３５内で、受信パケットデータユニットも送信パケットデータユニットもカウントする必要がある。従って、PDCP送信シーケンス番号及びPDCP受信シーケンス番号は、アップリンク(UL)、即ち、移動局１０から第１上位ネットワークユニット５０への伝送区間でも、ダウンリンク(DL)、即ち、第１上位ネットワーク５０から移動局１０への伝送区間でも用いられる。つまり、移動局１０は、送信されたパケットデータユニットをPDCP-UL-送信シーケンス番号(PDCP-UL-SSN=PDCP-UL-Send Sequence Number)でカウントし、受信されたパケットデータユニットをPDCP-DL-受信シーケンス番号(PDCP-DL-RSN=PDCP-DL-Receive Sequence Number)でカウントし、それに対して、第１上位ネットワークユニット５０は、送信されたパケットデータユニットをPDCP-DL-送信シーケンス番号(PDCP-DL-SSN=PDCP-DL-Send Sequence Number)でカウントし、受信されたパケットデータユニットをPDCP-UL-受信シーケンス番号(PDCP-UL-RSN=PDCP-UL-Receive Sequence Number)でカウントする。
【００３１】
第２論理コネクション１０１を介して各パケットデータユニットを相互に送信するRLCプロトコルユニット１２０，１２５が、単数乃至複数のパケットデータユニットのどれがエラーなく伝送されたか、単数乃至複数のパケットデータユニットのどれがエラーがあって伝送されたか、各々他方のRLCプロトコルユニットにシグナリングすることができるために、RLCプロトコルユニットの各々が、送信すべきパケットデータユニットをRLC送信シーケンス番号で番号付けする。従って、アップリンク(UL)で、移動局１０から第１上位ネットワークユニット５０に伝送されるパケットデータユニットが、RLC-UL-送信シーケンス番号(RLC-UL-SSN=RLC-UL-Send Sequence Number)で番号付けされ、ダウンリンク(DL)で、第１上位ネットワークユニット５０から移動局１０に伝送されるパケットデータユニットが、RLC-DL-送信シーケンス番号(RLC-DL-SSN=RLC-DL-Send Sequencer Number)で番号付けされる。それから、この送信シーケンス番号が、パケットデータユニットの伝送前に付け加えられる。RLC送信シーケンス番号は、第１RLCプロトコルユニット１２０で実施されるセグメント化（第１RLCプロトコルユニット１２０の上位である第１PDCPプロトコルユニット１３０によって受信されたパケットデータユニットが、複数のパケットデータユニットに分割される）に基づいて、PDCP送信シーケンス番号とは異なっていることがある。
【００３２】
各RLCプロトコルユニット１２０，１２５には、UMTS規格でVR(R)として既知のパラメータ又はカウンタが付加的に用いられており、このカウンタは、正しい順番で予期される直ぐ次のパケットデータユニットのRLC送信シーケンス番号を送出乃至カウントし、即ち、全てのパケットデータユニットが、パラメータVR(R)で供給された番号よりも小さなRLC送信シーケンス番号で予めエラーなしに受信されている。従って、第１RLCプロトコルユニット１２０内のVR(R)パラメータにより、第１上位ネットワークユニット５０によって正しい順番で予期される直ぐ次のパケットデータユニットが指示され、分かり易くするために、この実施例では、以下DL-VR(R)と呼ぶ。第２RLCプロトコルユニット１２５内のパラメータVR(R)により、移動局１０によって正しい順番で予期される直ぐ次のパケットデータユニットのRLC-UL-送信シーケンス番号が指示され、この実施例では、分かり易くするためにUL-VR(R)と呼ぶ。
【００３３】
本発明について、以下のような具体的なシナリオ例に基づいて説明する。移動局１０は、所要の物理及び論理コネクションを介して、殊に、第１PDCPプロトコルユニット１３０及び第２PDCPプロトコルユニット１３５によって構成される、移動局１０と第１上位ネットワークユニット５０との第１論理PDCPコネクション１０２を介して、移動通信網１の各ユニット、例えば、第１基地局２０、第１上位ネットワークユニット５０及び最上位ネットワークユニット６０と接続され、データ転送、つまり、このコネクションを介してのパケットデータユニットが交換される。この実施例で、この方法について、移動局から第１上位ネットワークユニット５０へのパケットデータユニットの伝送の例を用いて説明する。しかし、この方法は、同様に、第１上位ネットワークユニット５０から移動局１０へのパケットデータユニットの伝送にも該当する。
【００３４】
方法について、更に、アップリンクでのデータ伝送を用いて説明するので、パラメータDL-VR(R)、RLC-DL-SSN、PDCP-DL-SSN及びPDCP-DL-RSNは、この別の実施例では関心ない。更に、例で基づいているのは、第１RLCプロトコルユニット１２０により、第１PDCPプロトコルユニット１３０によって受信されたパケットデータユニットはセグメント化されないということである。第１PDCPプロトコルユニット１３０から第１RLCプロトコルユニット１２０に供給されるパケットデータユニットは、従って、第２RLCプロトコルユニット１２５へのパケットデータユニットとしても送信される。更に、例で基づいているのは、各RLCプロトコルユニット１３０及び１３５間の第２論理コネクション１０１の構築の際に、最大回数３回の再伝送が決められるということである。
【００３５】
図３で、破線で示されている時点２００で、同様に例として仮定されているのは、第１PDCPプロトコルユニット１３０でのPDCP-UL-送信シーケンス番号が、第２PDCPプロトコルユニット１３５でのPDCP-UL-受信シーケンス番号に等しく、値PDCP-UL-SSN=PDCP-UL-RSN=10であるということである。更に、例として仮定されているのは、RLC-UL-送信シーケンス番号が値RLC-UL-SSN=10であり、パラメータUL-VR(R)が値UL-VR(R)=11であるという点であり、つまり、第２RLCプロトコルユニット１２５は、UL-RLC-送信シーケンス番号１〜１０のパケットデータユニットを受信し、順序で直ぐ次のパケットデータユニットをRLC-UL-送信列シーケンス番号RLC-UL-SSN=11で番号付けする。第１PDCPプロトコルユニット１３０は、上位層から有効データを受信し、この有効データを、パケットデータユニットに変換し、PDCP番号付け及び記憶過程３００が実行され、このPDCP番号付け及び記憶過程３００で、パケットデータユニットがPDCP-UL-送信シーケンス番号PDCP-UL-SSN=11で番号付けされ、記憶される。パケットデータユニットが場合によって圧縮された後、このパケットデータユニットが、伝送ステップ３１０で第１RLCプロトコルユニット１２０に伝送され、この第１RLCプロトコルユニット１２０で、RLC番号付け及び記憶過程３２０が実行され、このRLC番号付け及び記憶過程３２０で、パケットデータユニットがRLC-UL-送信シーケンス番号RLC-UL-SSN=11で番号付けされ、記憶される。パケットデータユニットのRLC-UL-送信シーケンス番号が付け加えられた後、パケットデータユニットが別の伝送ステップ３３０で、第２RLCプロトコルユニット１２５に伝送され、第２RLCプロトコルユニット１２５は、パケットデータユニットからRLC-UL-送信シーケンス番号を取り出す。取り出されたRLC-UL-送信シーケンス番号は、正しい順番で予期される、パラメータUL-VR(R)で固定保持される直ぐ次のRLC-UL-送信シーケンス番号に相応するので(RLC-UL-SSN=UL-VR(R))、第２RLCプロトコルユニット１２５で、パラメータUL-VR(R)のアクチュエート過程３４０が実行され、その際、このパラメータUL-VR(R)が値１２にセットされ、つまり、RLC-UL-送信シーケンス番号１２のパケットデータユニットが、正しい順番で直ぐ次に予期されるパケットデータユニットとして予期される。続いて、伝送ステップ３５０で、パケットデータユニットが第２PDCPプロトコルユニット１３５に供給され、第２PDCPプロトコルユニット１３５は、更に、カウント過程３６０を開始し、このカウント過程で、PDCP-UL-受信シーケンス番号が１だけ増大され、従って、値PDCP-UL-RSN=11である。従って、パケットデータユニットが第１及び第２PDCPプロトコルユニット１３０，１３５で番号付けされるPDCP-UL-送信シーケンス番号及びPDCP-UL-受信シーケンス番号は、両方共等しい。
【００３６】
続いて、別の伝送過程３７０では、第２RLCプロトコルユニット１２５は、第１RLCプロトコルユニット１２０に、RLC-UL-送信シーケンス番号RLC-UL-SSN=11のパケットデータユニットがエラーなく受信されたことを、RLCステータス情報によって通知する。それに基づいて、第１RLCプロトコルユニット１２０は、消去過程３８０で、メモリからパケットデータユニットを消去し、第１PDCPプロトコルユニット１３０は、伝送過程３９０で、パケットデータユニットが成功裡に伝送されたことについて通知し、この通知に基づいて、第１PDCPプロトコルユニット１３０は、記憶されたパケットデータユニットを、PDCP消去過程４００中、同様に第１PDCPプロトコルユニット１３０のメモリから消去する。
【００３７】
更に例として仮定されているのは、上位層から別の有効データが第１PDCPプロトコルユニット１３０に供給され、この第１PDCPプロトコルユニット１３０は、この別の有効データをパケットデータユニットに変換し、PDCP番号付け及び記憶過程５００で、PDCP-UL-送信シーケンス番号PDCP-UL-SSN=12で番号付けされ、記憶されるという点である。場合によっては、パケットデータユニットの圧縮後、このパケットデータユニットが、伝送過程５１０で第１RLCプロトコルユニット１２０に転送され、第１RLCプロトコルユニット１２０で、このパケットデータユニットが、RLC番号付け及び記憶過程５２０で、RLC-UL-送信シーケンス番号RLC-UL-SSN=12で番号付けされ、記憶される。RLC-UL-送信シーケンス番号は、その際、パケットデータユニットに付け加えられる。更に仮定されているのは、再伝送過程５３０がエラーし、パケットデータユニットがエラーなく第２RLC-プロトコルユニット１２５に伝送されないということである。伝送過程５４０で送信されるRLCステータス情報によって、第２RLCプロトコルユニット１２５は、第２RLCプロトコルユニット１２０に、RLC-UL送信シーケンス番号RLC-UL-SSN=12のパケットデータユニットの伝送がエラーしたことについて通知する。最大許容回数の再伝送に未だ達していないので、第１RLCプロトコルユニット１２０は、別の再伝送５５０を開始し、この再伝送で、パケットデータユニットは、もう一度第２RLCプロトコルユニット１２５に送信される。しかし、パケットデータユニットは、第２RLCプロトコルユニット１２５によってエラーなく受信することができないと仮定されており、従って、伝送過程５４０に相応する伝送過程５６０が行われる。３回目の再伝送５７０も、第１RLCプロトコルユニット１２０によってエラーし、そのことが、第１RLCプロトコルユニット１２０に、第２RLCプロトコルユニット１２５から伝送過程５８０によって通知される。第２論理コネクション１０１の構築の際、最大回数３回の再伝送が決められているので、RLC-UL-送信シーケンス番号RLC-UL-SSN=12のパケットデータユニットをもう一度送信するための新規の再伝送は開始されない。その代わり、RLC消去過程５９０で、パケットデータユニットが第１RLCプロトコルユニット１２０のメモリから消去され、RLC廃棄情報が伝送過程６００で、第２RLCプロトコルユニット１２５に送られ、その際、RLC廃棄情報は、送信されたパケットデータユニットの順序で直ぐ次の、これまで未だ確認されていないパケットデータユニットのRLC-UL-送信シーケンス番号を有している。この場合、このRLC-UL-送信シーケンス番号は、RLC-UL-送信シーケンス番号RLC-UL-SSN=13であり、この番号は、これまでに未だ送信されていない直ぐ次のパケットデータユニットに属している。RLC廃棄情報に一緒に示されているRLC-UL-送信シーケンス番号は、第２RLCプロトコルユニット１２５によって、正しい順番で直ぐ次のものとして予期されるパケットデータユニットのRLC-UL-送信シーケンス番号(UL-VR(R))よりも大きいので、第２RLCプロトコルユニット１２５は、アクチュエート過程６１０を実行し、このアクチュエート過程で、パラメータUL-VR(R)は、正しい順番で直ぐ次のものとして予期されるパケットデータユニットのRLC-UL-送信シーケンス番号にセットされる。この例では、正しい順番で予期される直ぐ次のパケットデータユニットのRLC-UL-送信シーケンス番号は１３であり、従って、パラメータUL-VR(R)は、値UL-VR(R)=13となる。RLC-UL-送信シーケンス番号のパケットデータユニットが、実際には第２RLCプロトコルユニット１２５によって正確に受信されていないことを確認するために、第２RLCプロトコルユニット１２５は、伝送過程６２０で、RLC廃棄確認情報を第１RLCプロトコルユニット１２０に返信し、その際、RLC廃棄確認情報は、パラメータUL-VR(R)のアクチュエート値を、この場合には、RLC-UL-送信シーケンス番号RLC-UL=SSN=13を有している。RLC廃棄確認情報を用いて、第１RLCプロトコルユニット１２０は、この間消去された、RLC-UL-送信シーケンス番号RLC-UL-SSN=12のパケットデータユニットが実際にはエラーなく第２RLCプロトコルユニット１２５に伝送することができなかったことを認識する。
【００３８】
これまで説明してきた方法で、以下の問題が生起する：
これまで説明してきた方法では、第１PDCPプロトコルユニット１３０は、パケットデータユニットが第１PDCPプロトコルユニット１３０の下位の第１RLCプロトコルユニット１２０から第２RLCプロトコルユニット１２５に、従って、第２PDCPプロトコルユニット１３５にも伝送することができなかったということはなかった。PDCP-UL-送信シーケンス番号は、第１PDCPプロトコルユニット１３０によって、このパケットデータユニットに対して付けられたが、第２PDCPプロトコルユニット１３５によっては、PDCP-UL-受信シーケンス番号が付けられなかった。従って、PDCPプロトコルユニット１３０のPDCP-UL-送信シーケンス番号と、PDCPプロトコルユニット１３５のPDCP-UL-受信番号とは、図３で破線で示された時点６４０で等しくなく、第１PDCPプロトコルユニット１３０から第２PDCPプロトコルユニット１３５に送信される後続のパケットデータユニットは、第１PDCPプロトコルユニット１３０で、第２PDCPプロトコルユニット１３５によって、後続のパケットデータユニットの受信時に付けられなかったPDCP-UL-受信番号に等しくないPDCP-UL-送信シーケンス番号を対応して受け取られる。
【００３９】
従って、本発明によると、第１のPDCPプロトコルユニット１３０の別の伝送過程で、第１のRLCプロトコルユニット１２０から、所定の情報を用いて、RLC-UL-送信シーケンス番号RLC-UL-SSN=12のパケットデータユニットが伝送できなかったということが通知され、その際、この情報は、識別子MUI(Message Unit Identifier)を有しており、この識別子により、第１PDCPプロトコルユニット１３０内のパケットデータユニットが識別され、第１RLCプロトコルユニット１２０の識別子が検知される。第１RLCプロトコルユニット１２０は、RLC廃棄情報とその確認情報、RLC廃棄確認情報を用いて、常に１つしかパケットデータユニットがエラーなく伝送されたことがシグナリング乃至確認されない場合に、この確認情報の種類から、パケットデータユニットが実際にエラーなく伝送することができなかったかどうか判定される。つまり、受信されたRLC廃棄確認情報が、エラーのある伝送の確認であり、RLCステータス情報が、パケットが実際に正確に第２RLCプロトコルユニット１２５によって受信されたという報告である。RLC廃棄確認情報内に含まれているパラメータUL-VR(R)によると、その際、付加的に、どのRLC-UL-送信シーケンス番号が、第２RLC-プロトコルユニット１２５によって、正しい順番で予期される直ぐ次のパケットデータユニットに割当られたRLC-UL-送信シーケンス番号として予期されるのか示され、従って、パラメータUL-VR(R)内に示された、第１RLCプロトコルユニット１２０のメモリからの番号よりも小さい、第１RLCプロトコルユニット１２０内に記憶されているパケットデータユニット全てのRLC-UL-送信シーケンス番号が、従って、第１PDCPプロトコルユニット１３０のメモリからの相応のパケットデータユニットも消去することができる。この方法によると、第１PDCPプロトコルユニット１３０は、伝送過程６３０によって、アクチュエート過程６５０に必要な情報を受け取って、識別子(MUI)によって示されたパケットデータユニットを、第１PDCPプロトコルユニット１３０のメモリから消去し、且つ、メモリ内に残存するパケットデータユニットのPDCP-UL-送信シーケンス番号を１だけ低減する。即ち、この場合、直ぐ次に付けられるべきPDCP-UL-送信シーケンス番号は再度PDCP-UL-SSN=12であり、直ぐ次に送信すべきパケットデータユニットに対応付けられている。相応に、第１PDCPプロトコルユニット１３０内のカウンタは、PDCP-UL-SSN=12の、この値を１だけリセットされる。伝送できなかったパケットデータユニットの後に、直ぐに別のパケットデータユニットが第１PDCPプロトコルユニット１３０から送信されたとすると、この別のパケットデータユニットのPDCP-UL-送信シーケンス番号を同様にアクチュエートし、この場合、１だけ低減する必要がある。
【００４０】
別のデータが、上位層から第１PDCPプロトコルユニット１３０に供給されると、この第１PDCPプロトコルユニット１３０は、このデータを再度パケットデータユニットに変換し、PDCP-番号付け及び記憶過程７００を実行し、この際、パケットデータユニットは、PDCP-UL-送信シーケンス番号PDCP-UL-SSN=12を、カウンタの状態により第１PDCP-プロトコルユニット１３０内で対応して受け取って、記憶する。続いて、場合により、パケットデータユニットが圧縮され、伝送過程７１０で、第１PDCPプロトコルユニット１３０の下位の第１RLCプロトコルユニット１２０に供給される。第１RLCプロトコルユニット１２０は、再度RLC記憶及び番号付け過程７２０を実行し、このRLC記憶及び番号付け過程７２０で、パケットデータユニットにRLC-UL-送信シーケンス番号RLC-UL-SSN=13が割当られ、パケットデータユニットが記憶される。続いて、RLC-UL-送信シーケンス番号がパケットデータユニットに付け加えられ、それから、このパケットデータユニットは、伝送過程７３０で第２RLCプロトコルユニット１２５に送信される。第２RLCプロトコルユニットは、パケットデータユニットからRLC-UL-送信シーケンス番号を取り出す。取り出されたRLC-UL-送信シーケンス番号は、正しい順番で予期される、パラメータUL-VR(R)内に固定保持される、直ぐ次のRLC-UL-送信シーケンス番号に相応するので、第２RLCプロトコルユニット１２５で、パラメータUL-VR(R)のアクチュエート過程７４０が行われ、このパラメータUL-VR(R)は、その際、１４にセットされる。続いて、伝送ステップ７５０で、パケットデータユニットが第２PDCPプロトコルユニット１３５に供給され、それに基づいて、第２PDCPプロトコルユニット１３５は、カウント過程７６０を開始し、このカウント過程で、PDCP-UL-受信シーケンス番号が１だけ上昇され、従って、値PDCP-UL-RSN-12となる。従って、パケットデータユニットが番号付けされる、PDCP-UL-送信シーケンス番号及びPDCP-UL-受信シーケンス番号は、パケットデータユニットを伝送することができなかったにも拘わらず、再度両方とも等しい。別の伝送過程７７０では、第２RLCプロトコルユニット１２５は、第１RLCプロトコルユニット１２０に、続いてRLC-ステータス-情報によって、RLC-UL-送信シーケンス番号RLC-UL-SSN=13のパケットデータユニットがエラーなく受信されたことを通知する。それに基づき、第１RLC-プロトコルユニット１２０は、消去過程７８０で、パケットデータユニットを第１RLC-プロトコルユニット１２０のメモリから消去し、第１PDCPプロトコルユニット１３０は、伝送過程７９０で、パケットデータユニットが成功裡に伝送されたことについて通知し、それに基づいて、第１PDCPプロトコルユニット１３０は、記憶されているパケットデータユニットを、PDCP-消去過程８００の間同様に第１PDCPプロトコルユニット１３０のメモリから消去する。
【００４１】
択一選択的な実施例では、第１RLCプロトコルユニット１２０の複数のRLC廃棄情報が第２RLCプロトコルユニット１２５に集められ、例えば、所定数に達するか、又は、所定時間経過後、第２RLCプロトコルユニット１２５は、RLC廃棄確認情報を第１RLCプロトコルユニット１２０に送信する。第１RLCプロトコルユニット１２０は、第２ＲＬＣプロトコルユニット１２５にRLC廃棄情報によって、複数パケットデータユニットの消去について通知し、その際、RLC廃棄情報に含まれているRLC-UL-送信シーケンス番号により、順序内で直ぐ次のパケットデータユニットが、消去されたパケットデータユニットの後に供給され、第２RLCプロトコルユニット１２５により、RLC-廃棄確認情報が第１RLCプロトコルユニット１２０に送信され、その際、このRLC廃棄確認情報が、第１RLCプロトコルユニット１２０内で既に消去されている相応のパケットデータユニットのRLC-UL-送信シーケンス番号を含み、このこのパケットデータユニットは、第２RLCプロトコルユニット１２５内で受信されずに、第１RLCプロトコルユニット１２０に、相応のパケットデータユニットの伝送のエラーが通知される。それから、第１RDCPプロトコルユニット１３０は、第１RLCプロトコルユニット１２０から、RLC廃棄確認情報と共に受信されたRLC-UL-送信シーケンス番号に対応付けられているPDCP-UL-送信シーケンス番号を通知され、その結果、このPDCP-UL-送信シーケンス番号に対応付けられているパケットデータユニットが、第１PDCPプロトコルユニット１３０のメモリから消去される。それから、第１PDCPプロトコルユニット１３０内のカウンタの状態は、第２RLCプロトコルユニット１２５内に受信されなかったパケットデータユニットの個数だけ低減される。それから、新規に送信すべきパケットデータユニットは、第１PDCPプロトコルユニット１３０内で、そのようにしてデクリメントされたカウンタ状態に依存して番号付けされる。伝送できなかったパケットデータユニットの後に、既に別のパケットデータユニットが第１PDCPプロトコルユニット１３０が送信されていたとすると、この別のパケットデータユニットのPDCP-UL-送信シーケンス番号が、同様にアクチュエートされて、成功裡に伝送されなかったパケットデータユニットの個数だけ低減される必要がある。
【図面の簡単な説明】
【図１】  移動通信網のブロック図
【図２】  異なった２つのネットワークエンティティ間でのパケットデータユニットの伝送のブロック接続図
【図３】  本発明の方法の流れ図
【図１】
0003893288.tif 000002
【図２】
0003893288.tif 000003
【図３】
0003893288.tif 000004